(57)【要約】【課題】  身体への装着性能を高める。下半身の被覆面積の調整を可能にする。【解決手段】  足首付近から膝付近までを被覆する下部シート１と、膝付近から腰部付近までを被覆する上部シート２とを備えている。下部シート１は、足首付近から膝付近までを包込んで筒形に保形するための保形用部材６が取付けられている。上部シート２は、首に掛けられる吊紐１０と腰部付近に巻付けられる腰ベルト７とが取付けられている。下部シート１，上部シート２は、互いを連結，分離するための連結用部材３が取付けられている。【選択図】図１
0003134901.tif 000002
【実用新案登録請求の範囲】
【請求項１】
足首付近から膝付近までを被覆する下部シートと、膝付近から腰部付近までを被覆する上部シートとを備え、下部シートは足首付近から膝付近までを包込んで筒形に保形するための保形用部材が取付けられ、上部シートは首に掛けられる吊紐と腰部付近に巻付けられる腰ベルトとが取付けられ、下部シート，上部シートは互いを連結，分離するための連結用部材が取付けられている下半身用掛布。
【請求項２】
請求項１の下半身用掛布において、連結用部材は下部シートの筒形に保形された合わせ線を身体の前方にして下部シートの前方上部と上部シートの前方下部とを連結するものであることを特徴とする下半身用掛布。
【請求項３】
請求項１または２の下半身用掛布において、下部シートは下縁に沿って収縮付勢された帯形の弾性材が取付けられていることを特徴とする下半身用掛布。
【請求項４】
請求項１〜３のいずれかの下半身用掛布において、吊紐は伸縮部材を介して上部シートに取付けられていることを特徴とする下半身用掛布。
【請求項５】
請求項１〜４のいずれかの下半身用掛布において、上部シートは上縁方向へ開口されたポケットが設けられ上縁からポケットの開口の縁までダーツが設けられていることを特徴とする下半身用掛布。
【考案の詳細な説明】
【技術分野】
【０００１】  本考案は、椅子等に腰掛けた人の下半身を被覆するための下半身用掛布に係る技術分野に属する。
【背景技術】
【０００２】  最近、高精度の温度調整機能を備えた空調設備の普及により、快適な室内環境が提供されるようになってきている。然しながら、人によって体感温度が異なるため、室内で椅子に腰掛けて各種の作業を行う際に下半身を被覆する膝掛け等の補助的な防寒（冷防止）用具を使用することも依然として行われている。また、室内で椅子に腰掛けて各種の作業を行う際には、衣服の汚損を防止するために膝掛，前掛のような掛布が使用されている。特に、車椅子に腰掛けた身体障害者，高齢者が室内で各種の作業を行う場合や外出する場合には、自立的に防寒，衣服の汚損防止の行動をとることが困難であるため、下半身を被覆する掛布である下半身用掛布の常態的な使用が要求される。このため、取扱いの容易な下半身用掛布の提供が要望されている。【０００３】  従来、取扱いを容易にすることを指向した下半身用掛布としては、例えば、実用新案登録第３１１５４７３号公報，特開２００５−２３４３３号公報に記載のものが知られている。【０００４】  前述の従来の下半身用掛布は、下半身を覆うシートの上部に椅子等の肘掛け（アームレスト）に引掛けることのできるフックが取付けられてなるもので、シートを椅子等に確実に装着してずり落ちることがないようにするものである。
【考案の開示】
【考案が解決しようとする課題】
【０００５】  前述の従来の下半身用掛布では、椅子等に確実に装着されるものの身体（下半身）への装着が不確実であるため、椅子に腰掛けて各種の作業を行っている間に身体からずれやすく、身体との間に無用の隙間を形成しやすいという問題点がある。また、温度変化等の必要に応じて下半身の被覆面積を変更しようとしても、自由な調整ができないという問題点がある。【０００６】  本考案は、このような問題点を考慮してなされたもので、身体への装着性能を高めるとともに、下半身の被覆面積の調整を可能にした下半身用掛布を提供することを課題とする。
【課題を解決するための手段】
【０００７】  前述の課題を解決するため、本考案に係る下半身用掛布は、実用新案登録請求の範囲の各請求項に記載の手段を採用する。【０００８】  即ち、請求項１では、足首付近から膝付近までを被覆する下部シートと、膝付近から腰部付近までを被覆する上部シートとを備え、下部シートは足首付近から膝付近までを包込んで筒形に保形するための保形用部材が取付けられ、上部シートは首に掛けられる吊紐と腰部付近に巻付けられる腰ベルトとが取付けられ、下部シート，上部シートは互いを連結，分離するための連結用部材が取付けられている。【０００９】  この手段では、吊紐，腰ベルトを備えることで、首と腰とへの２箇所で身体に直接的に装着され身体との間に無用の隙間を形成することがなくなる。また、連結用部材を備えることで、下部シート，上部シートが連結用部材を介して連結，分離される。【００１０】  また、請求項２では、請求項１の下半身用掛布において、連結用部材は下部シートの筒形に保形された合わせ線を身体の前方にして下部シートの前方上部と上部シートの前方下部とを連結するものであることを特徴とする。【００１１】  この手段では、連結用部材を身体の前方側に位置させることで、下部シートの筒形の保形と下部シート，上部シートの連結，離脱とが身体の前方で操作される。【００１２】  即ち、請求項３では、請求項１または２の下半身用掛布において、下部シートは下縁に沿って収縮付勢された帯形の弾性部材が取付けられていることを特徴とする。【００１３】  この手段では、下部シートの下縁に弾性部材が取付けられることで、筒形に保形された下部シートの下縁が絞込まれる。【００１４】  また、請求項４では、請求項１〜３のいずれかの下半身用掛布において、吊紐は伸縮部材を介して上部シートに取付けられていることを特徴とする。【００１５】  この手段では、吊紐と上部シートとの間に伸縮部材が介在されることで、上部シートに掛かる荷重，引張力等が伸縮部材で吸収されて首に掛からなくなる。【００１６】  また、請求項５では、請求項１〜４のいずれかの下半身用掛布において、上部シートは上縁方向へ開口されたポケットが設けられ上縁からポケットの開口の縁までダーツが設けられていることを特徴とする。【００１７】  この手段では、ダーツ付きのポケットが設けられることで、捻れ変形等のしないポケットが膝付近から腰部付近までの間に確保される。
【考案の効果】
【００１８】  本考案に係る下半身用掛布は、吊紐，腰ベルトを備えることで、首と腰とへの２箇所で身体に直接的に装着され身体との間に無用の隙間を形成することがなくなるため、身体への装着性能が高められる効果がある。また、連結用部材を備えることで、下部シート，上部シートが連結用部材を介して連結，分離されるため、下半身の被覆面積の調整が可能になる効果がある。【００１９】  さらに、請求項２として、連結用部材を身体の前方側に位置させることで、下部シートの筒形の保形と下部シート，上部シートの連結，離脱とが身体の前方で操作されるため、下部シートの筒形の保形と下部シート，上部シートの連結，離脱との操作が容易になる効果がある。【００２０】  さらに、請求項３として、下部シートの下縁に弾性部材が取付けられることで、筒形に保形された下部シートの下縁が絞込まれるため、身体への装着性能がより高められるとともに、筒形に保形された下部シートの内部の保温性能が高くなる効果がある。【００２１】  さらに、請求項４として、吊紐と上部シートとの間に伸縮部材が介在されることで、上部シートに掛かる荷重，引張力等が伸縮部材で吸収されて首に掛からなくなるため、首に無用の負荷が掛からなくなる効果がある。【００２２】  さらに、請求項５として、ダーツ付きのポケットが設けられることで、捻れ変形等のしないポケットが膝付近から腰部付近までの間に確保されるため、ポケットを小物入れ，防寒用手袋等として多目的に使用しやすくなる効果がある。
【考案を実施するための最良の形態】
【００２３】  以下、本考案に係る下半身用掛布を実施するための最良の形態を図面に基づいて説明する。【００２４】  図１〜図８は、本考案に係る下半身用掛布を実施するための最良の形態の第１例を示すものである。【００２５】  第１例は、図１に示すように、毛布生地，キルティング生地等で長方形に形成された下部シート１，上部シート２を備えている。下部シート１，上部シート２の材質については、必要に応じて防水性，防火性等を有するものが選択される。【００２６】  下部シート１は、使用者Ｍの足首付近から膝付近までを包込んで被覆することのできる面積を有している。上部シート２は、使用者Ｍの膝付近から腰部付近までを前方から側方まで被覆する面積を有している。【００２７】  下部シート１，上部シート２には、互いを連結，分離するための連結用部材３が取付けられている。連結用部材３は、下部シート１，上部シート２に無用の突起構造を形成しない面状ファスナからなるもので、下部シート１の上縁付近と上部シート２の下縁付近とに縦長の帯形として複数箇所（４箇所）に取付けられ、接着位置の上下調整によって下部シート１の上部と上部シート２下部とを上下位置を調整して連結することができるようになっている。従って、使用者Ｍの体格や使用者Ｍの好み等によって、下部シート１，上部シート２の上下方向の連結長さを調整することができる。また、連結用部材３は、図５に示すように、下部シート１の筒形に保形された合わせ線を使用者Ｍの身体（足首付近から膝付近まで）の前方にして下部シート１の前方上部と上部シート２の前方下部とを連結する箇所に配置されている。従って、下部シート１の筒形の保形と下部シート１，上部シート２の連結，離脱とを身体の前方で操作することができるため、下部シート１の筒形の保形と下部シート１，上部シート２の連結，離脱との操作が容易である。【００２８】  下部シート１の下縁には、弾性部材４が取付けられている。弾性部材４は、図２に示すように、下部シート１に無用の突起構造を形成しないゴム帯からなるもので、下部シート１の下縁に沿って形成された折返片袋５に収容され下縁の長さ方向を収縮させるように付勢されている。【００２９】  下部シート１の側縁には、保形用部材６が取付けられている。保形用部材５は、下部シート１に無用の突起構造を形成しない面状ファスナからなるもので、下部シート１の側縁に縦長の帯形として間欠的に取付けられ、使用者Ｍの足首付近から膝付近までを包込んだ下部シート１を筒形に保形する。【００３０】  上部シート２の両側縁の上部には、腰ベルト７が取付けられている。腰ベルト７は、使用者Ｍの腰部付近に巻付けられるもので、先端部に長さ調整機能をもった着脱可能なバックル８が設けられている。【００３１】  上部シート２の上縁付近の中央部には、伸縮部材９が取付けられている。伸縮部材９は、伸縮性を有するゴム紐からなるもので、リング形に形成されて一部が上部シート２に固着され、使用者Ｍの首に掛けられる吊紐１０の先端に設けられたフック１１が着脱可能になっている。【００３２】  上部シート２のほぼ中央部には、ポケット１２が設けられている。ポケット１２は、上部シート２に覆布を被せて逢着され上部シート２の上縁方���に開口部が設けられたもので、上部シート２の上縁から開口の縁まで上部シート２を折込んだダーツ１３（図４参照）が設けられている。従って、ポケット１２は、ダーツ１３によって捻れ変形等が生じることがなく立体性が保持される。【００３３】  第１例によると、使用者Ｍの足首付近から膝付近までを下部シート１で包込んで被覆し、使用者Ｍの膝付近から腰部付近までを上部シート２で前方から側方まで被覆することで、従来の下半身用掛布と同様の使用が行われる。【００３４】  ただし、下部シート１の筒形の保形と下部シート１，上部シート２の連結，離脱とを身体の前方で操作することができるため、車椅子Ｃに腰掛けた身体障害者，高齢者が使用者Ｍである場合にも介護者が容易に操作することができる。【００３５】  さらに、上部シート２が腰ベルト７で使用者Ｍの腰に支持され吊紐１０で使用者Ｍの首に支持されているため、上部シート２が首と腰とへの２箇所で使用者Ｍの身体に直接的に装着されることになる。従って、使用者Ｍの身体との間に無用の隙間を形成することがなく、使用者Ｍの身体への装着性能が高められる。なお、腰ベルト７については、バックル８による長さ調整で使用者Ｍの腰付近への負荷を調整することができる。また、吊紐１０については、吊紐１０と上部シート１との間に伸縮部材９が介在され、上部シート１に掛かる荷重，引張力等が伸縮部材９で吸収されて首に掛からなくなるため、使用者Ｍの首に無用の負荷が掛からなくなる。従って、身体への装着性能が高められることにともなって、使用者Ｍが窮屈になるようなことはない。なお、腰ベルト７については、車椅子Ｃ等の背もたれ（バックレスト）に巻付けることも可能である。また、下部シート１の下縁に取付けられた弾性部材４が筒形に保形された下部シート１の下縁を絞込むため、使用者Ｍの身体への装着性能がより高められるとともに、筒形に保形された下部シート１の内部の保温性能が高くなる。【００３６】  さらに、ダーツ１３付きのポケット１２が捻れ変形等せずに立体性を保持して使用者Ｍの膝付近から腰部付近までの間に確保されるため、ポケット１２を小物入れ，防寒用手袋等として多目的に使用しやすくなる。【００３７】  さらに、図７（Ｂ）に示すように、上部シート２から下部シート１を離脱させて使用することもできる。従って、温度環境等に対応して、使用者Ｍの下半身の被覆面積を調整することができる。【００３８】  なお、図８に示すように、不使用時に下部シート１，上部シート２を折畳んで腰ベルト７，吊紐１０で束ねるようにすると、収納袋１４に簡単に収納することができる。【００３９】  図９は、本考案に係る下半身用掛布を実施するための最良の形態の第２例を示すものである。【００４０】  第２例では、第１例の面状ファスナからなる保形用部材５を下部シート１の側縁に横長の帯形として間欠的に取付けてある。【００４２】  第２例によると、使用者Ｍの体格や使用者Ｍの好み等によって、下部シート１の包込みの度合いを調整することができる。【００４３】  以上、図示した各例の外に、連結用部材３，保形用部材６をホック等とすることも可能である。【００４４】  さらに、弾性部材４を下部シート１の下縁に部分的に設けることも可能である。
【図面の簡単な説明】
【００４５】
【図１】  本考案に係る下半身用掛布を実施するための最良の形態の第１例の分解状態の正面図である。
【図２】  図１のＸ−Ｘ線拡大断面図である。
【図３】  図１のＹ−Ｙ線拡大断面図である。
【図４】  図１のＺ−Ｚ線拡大断面図である。
【図５】  図１の要部の取扱い操作を示す図である。
【図６】  図１の組付け状態図である。
【図７】  車椅子での使用状態の正面図であり、（Ａ），（Ｂ）に異なる使用状態が示されている。
【図８】  図１の不使用時の収納例を示す正面図である。
【図９】  本考案に係る下半身用掛布を実施するための最良の形態の第２例の要部の正面図である。
【符号の説明】
【００４６】  １            下部シート
２            上部シート
３            連結用部材
４            弾性部材
６            保形用部材
７            腰ベルト
９            伸縮部材
１０          吊紐
１２          ポケット
１３          ダーツ
Ｍ            使用者
【図１】
0003134901.tif 000003
【図２】
0003134901.tif 000004
【図３】
0003134901.tif 000005
【図４】
0003134901.tif 000006
【図５】
0003134901.tif 000007
【図６】
0003134901.tif 000008
【図７】
0003134901.tif 000009
【図８】
0003134901.tif 000010
【図９】
0003134901.tif 000011